(57)【要約】【課題】投写型画像表示装置において自動または手動によって明るさやガンマカーブなどの画像投写状態を調整した場合、その調整結果が目標に対してどの程度実現されたかをユーザが知る手段を提供し、合わせて外光の明るさ等の視環境自身をユーザが知る手段を提供することを目的とする。【解決手段】画像表示状態を測定するための測定用画像信号発生部１２と、測定用画像を測光する測光センサ部１５と、測光した結果をグラフ化あるいは数値表示化するため演算処理を行うＣＰＵ部１０と、演算処理結果を表示するための描画処理を行う描画処理部１１と、各測定結果を保持記憶する情報記憶部１３とを備えることにより、投写画像表示状態を測定しその結果をグラフ化して表示することにより、調整した結果をユーザが具体的に把握することができる。【選択図】図１
2005303643.tif 000002
【特許請求の範囲】
【請求項１】
投写画像表示装置において、
視環境の影響を含む投写画像の表示状態を測定するための測定用画像信号発生部と、
前記測定用画像の投写状態を測定する測定部と、
前記測定した結果をグラフ化およびあるいは数値表示化するため前記測定部により得られた測定結果に対する演算処理を行う演算処理部と、
前記演算処理結果を投写表示するための描画処理を行う描画処理部と、
前記測定部により測定された結果を保持記憶する情報記憶部と、
を備えることを特徴とする投写画像表示装置。
【請求項２】
前記測定部で得られる測定用画像信号を投写表示した状態において測定する処理方法であって、
所定の階調の複数の測定用画像信号が表示されるごとに前記測定部により測定を実施する工程と、
前記測定における測定結果を都度前記情報記憶部に記憶保持する工程と、
前記一連の測定終了時に全測定結果をグラフ化およびあるいは数値化するために前記演算処理部において演算処理を実施する工程と、
前記演算処理結果を投写表示するために前記描画処理部を用いて描画処理する工程と、
を備えたことを特徴とする投写画像表示方法。
【請求項３】
請求項２記載の各工程を実施する手段としてコンピュータを機能させるためのプログラム。
【請求項４】
請求項３に記載のプログラムを担持した記録媒体であって、コンピュータにより処理可能な記録媒体。
【発明の詳細な説明】
【技術分野】
【０００１】
本発明は、投写画像表示状態を測定しその結果を表示する投写画像表示装置、表示方法、プログラム、および記録媒体に関する。
【背景技術】
【０００２】
近年、投写画像表示装置は、ホームシアタシステムとしても普及し、装置自身の表示画質の向上とともに、ユーザ自身が自分の好みの表示画質を設定するための調整機能の充実が求められている。
【０００３】
従来の投写画像表示装置は装置内に複数の調整状態を有しておりユーザが選択的にそのうちから好みの、あるいは最適と思われる設定を選べるようになっている。ところが、投写画像はスクリーン上に映し出されるためその表示状態は視環境、特に外光によって大きく影響を受け、同じ調整設定状態であっても視環境が異なれば、結果として視認する画像表示状態は異なってくる。
【０００４】
この課題に対して特許文献１で知られる投写画像表示装置は、視環境の影響も含めて、投写画像表示状態を測定し、投写画像表示装置内において視環境に応じてあらかじめ定められた複数の調整状態の内から最適と判断した調整状態を目標値として、かつ、その目標値を視環境における最適な状態と想定して測定結果に基づいて自動的に調整を実施するものである。
【０００５】
その投写画像表示装置を図５に示す。図５は従来の投写画像表示装置の構成図を示すものである。図５において、測定用信号発生部１２は、投写画像表示状態を測定するための信号発生部であり、信号切替部２５は映像入力信号と測定用信号発生部１２の出力とを切り替える。映像信号処理部１７は映像信号を例えばガンマカーブにしたがって投写画像表示装置において表示できる信号形式に変換処理する。表示素子駆動部１８は映像信号処理部１７の出力によって表示素子２１を駆動するための駆動信号を発生する。光源１９は投写するための光を発生する。照明光学系部２０は光源１９から発せられた光を表示素子２１に集光照射する。表示素子２１は通常液晶あるいは反射型の素子で照明光学系部２０から照射された光を透過あるいは反射させて画像光として投写光学系部２２に送る。投写光学系部２２は表示素子２１を介して得られた画像光をスクリーン２３に結像させる。測光センサ部１５はスクリーン２３によって反射された反射光の明るさを測定する。ＣＰＵ部１０は投写画像表示装置全体の制御を行うとともに測光センサ部１５からの測定値を演算処理する。コントロールパネル部１４はユーザからの指示を入力する。
【０００６】
以上のように構成された従来の投写画像表示装置について、以下その動作について説明する。
【０００７】
まずコントロールパネル部１４を用いてユーザは自動調整開始の指示を入力する。ＣＰＵ部１０はコントロールパネル部１４から自動調整開始の指示を受けると測定用信号発生部１２に測定用信号を発生させるよう制御するとともに同時に信号切替部２５を測定用信号発生部１２側に切り替えるよう制御する。例えばガンマカーブを自動調整する場合、測定用信号発生部１２からは、まず全黒の測定用信号が発生される。この測定用信号は映像信号処理部１７、表示素子駆動部１８を経て表示素子２１において画像として表示され、光源１９および照明光学系部２０を通過した光を透過あるいは反射して投写光学系部２２を経てスクリーン２３に結像される。測光センサ部１５はまずこの全黒が表示されたスクリーン２３からの反射光を測定する。これはすなわち視環境における外光の明るさと投写画像表示装置の全黒画像出力の明るさの合計である。さらに測光センサ部１５によって投写領域外の明るさを測定する。これはすなわち外光の明るさである。ＣＰＵ部１０は測光センサ部１５からの測定値によってこの外光の明るさを得、この外光の明るさおよび上記外光と全黒画像出力の明るさの合計とに応じてあらかじめプログラムされている複数のガンマカーブパターンから最適と判断されるパターンを選択あるいは算出する。次にＣＰＵ部１０は、測定用信号発生部１２に対して黒から白までの所定の階調の複数の測定用信号を発生するよう制御し、測光センサ部１５は、その複数の階調毎にスクリーン２３からの反射光を都度測定する。ＣＰＵ部１０は測定の都度、先に選択したガンマカーブパターンと測定結果とを比較し、その結果が一致あるいは最も近づくように映像信号処理部１７内のガンマカーブ変換テーブルを操作する。
【特許文献１】特開２００３−３２４６７０号公報
【発明の開示】
【発明が解決しようとする課題】
【０００８】
しかし、上記のように自動調整された結果の投写画像表示状態は必ずしもユーザにとって好みの調整状態であるとは言えず、また投写する画像の種類やコンテンツ自身にとって最適であるとは言い難い。例えば、映画コンテンツであっても明るいシーンが多い映画と暗いシーンが多い映画とでは同一のガンマカーブではいずれにとっても最適であるとはいえない。
【０００９】
そこでユーザはコンテンツに合わせて、さらにユーザ自身による手動調整の実施によって好みの投写画像表示状態を設定している。
【００１０】
しかしながら、その調整を行う際に、例えばガンマカーブの現在の調整状態では、現在の視環境においてどのような実際のガンマカーブになって見えるのか、あるいは、それに対して手動調整を実施した結果そのガンマカーブがどのように変化して見えるのかを知る手段がない。
【００１１】
すなわち、ユーザが手動調整を行う際にその調整指標がないため、ガンマカーブの例で言えばガンマカーブのどのポイントをどのようにすれば投写画像の見え方をどのように変えることができるかといったことをユーザが知ることができない。
【００１２】
さらに、視環境の状態をユーザが具体的に知り得る手段がない。すなわち、例えばスクリーン上の外光の明るさは具体的にはいくらであるのか、またその視環境下で現在の調整状態ではコントラスト比はいくらであるのかといった投写画像の表示状態を具体的な数値で把握することができない。したがって例えば過去にユーザがある視環境下で調整した状態が現在の視環境下で適応できるのかを判断することができず結果としてユーザにとって好みの投写画像表示状態を設定することができないという問題点を有していた。
【００１３】
本発明は上記従来の問題点を解決するためのもので、投写画像表示状態を測定しその結果を数値化あるいはグラフ化して表示することによりユーザに視環境状態や調整状態をわかりやすく知らせる投写画像表示装置、表示方法、プログラム、および記録媒体を提供することを目的とする。
【課題を解決するための手段】
【００１４】
前記従来の課題を解決するために本発明の請求項１に記載の発明は、視環境の影響を含む投写画像の表示状態を測定するための測定用画像信号発生部と、前記測定用画像の投写状態を測定する測定部と、前記測定した結果をグラフ化およびあるいは数値表示化するため前記測定部により得られた測定結果に対する演算処理を行う演算処理部と、前記演算処理結果を投写表示するための描画処理を行う描画処理部と、前記測定部により測定された結果を保持記憶する情報記憶部と、を備えるものであり、視環境状態を含む投写画像表示状態を測定用画像信号発生部によって発生した測定用画像信号を投写し測定部によってその投写画像表示状態を測定し、演算部によって測定結果を数値化およびあるいはグラフ化するため演算処理し、情報記憶部によって演算処理部によって得られた演算結果を記憶し、描画処理部によって測定結果の数値およびあるいはグラフを投写表示するための画像信号を得ることによって、測定した投写画像表示状態を投写表示するという作用を有している。
【００１５】
本発明の請求項２に記載の発明は、前記測定部で得られる測定用画像信号を投写表示した状態において測定する処理方法であって、所定の階調の複数の測定用画像信号が表示されるごとに前記測定部により測定を実施する工程と、前記測定における測定結果を都度前記情報記憶部に記憶保持する工程と、前記一連の測定終了時に全測定結果をグラフ化およびあるいは数値化するために前記演算処理部において演算処理を実施する工程と、前記演算処理結果を投写表示するために前記描画処理部を用いて描画処理する工程と、を備える表示方法である。
【００１６】
本発明の請求項３に記載の発明は、請求項２記載の各工程を実施する手段としてコンピュータを機能させるためのプログラムである。
【００１７】
本発明の請求項４に記載の発明は、請求項３に記載のプログラムを保持した記録媒体であって、コンピュータにより処理可能な記録媒体である。
【発明の効果】
【００１８】
本発明の投写画像表示装置、表示方法、プログラム、および記録媒体によれば、投写画像表示状態を測定するための測定用信号を発生し、測定を行いその結果を数値化およびあるいはグラフ化して表示することによりユーザに視環境状態や調整状態をわかりやすく知らせることができるという優れた効果が得られる。
【発明を実施するための最良の形態】
【００１９】
以下、本発明の実施の形態について図１から図４を用いて説明する。
【００２０】
（実施の形態１）
図１は本発明の投写画像表示装置の機能構成図である。図１において図５と同一の構成要素には同一符号を付して詳細な説明を省略する。
【００２１】
図１において、描画処理部１１は、画像表示のための描画を行うものである。情報記憶部１３は、測光センサ部１５によって測定され、ＣＰＵ部１０によって演算処理された結果の測定値を保持するものである。信号切替部１６は、映像入力信号と、測定用信号発生部１２からの出力と、描画処理部１１からの出力とを切り替える。
【００２２】
図２および図３は、本発明を実施した場合の具体的な表示画像の例を示す図である。
【００２３】
図２および図３において、投写型表示装置５０は測光センサ部１５をその外部に設けた例である。スクリーン２３には測定結果を表示した状態例を示している。
【００２４】
図４はガンマカーブを例に、その測定および表示工程のフローを示す。
【００２５】
以下に、図４で示した各工程をもとに、図１で示した構成における動作および、その結果として図２および図３に示す表示を得る本発明の一実施例における機能、作用についてガンマカーブの調整状態表示を例に説明する。
【００２６】
まずユーザがコントロールパネル部１４に投写画像の表示状態測定を指示入力する。ＣＰＵ部１０はコントロールパネル部１４から該測定開始の指示を受け取ると測定用信号発生部１２に対して、測定用全黒画像信号を発生する制御信号を発し同時に信号切替部１６を測定用信号発生部１２の出力側に切り替える。全黒画像信号は視環境における外光を含んだ明るさを測定するためのものである。その結果、スクリーン２３上には測定用全黒画像信号が投写表示される（ステップＳ１０）。次に測光センサ部１５が測定検知したスクリーン２３からの反射光の明るさ測定値をＣＰＵ部１０が得る（ステップＳ１２）。ＣＰＵ部１０は、その測定値を情報記憶部１３に記憶する（ステップＳ１４）。ＣＰＵ部１０は次に、ガンマカーブ測定用にあらかじめ決められた複数の測定用階調信号のうち、次の階調を表示するため測定用信号発生部１２に対して制御を行う（ステップＳ１６）。このときに、ガンマカーブの測定用信号としてあらかじめ決められた階調の最大値まで達していれば測定完了であり、達していなければ上記ステップＳ１２に処理をもどす（ステップ１８）。このようにして、ガンマカーブ測定用にあらかじめ決められたすべての階調について測定用階調信号を表示し、同様に明るさを測定し順次情報記憶部１３に各階調における測定値を記憶保持することができる。測定完了時は、ＣＰＵ部１０は情報記憶部１３において保持されていた各測定値を読み出し、それらをグラフ化するための演算処理を行う（ステップＳ２０）。次にＣＰＵ部１０は、演算処理結果を表示するため描画処理部１１に対して描画するためのデータを送り、同時に信号切替部１６を、描画処理部１１の出力側に切り替える制御を行う。描画処理部１１は、ＣＰＵ部１０から送られてきた描画データを画像信号に変換処理する。この結果、投写型表示装置において設定されているガンマカーブの状態が視環境も含めてグラフ化表示される（ステップＳ２２）。この場合の、スクリーン２３へ投写表示される画面の様子を図２に示している。画面中央にグラフが表示され、その横軸である入力信号レベルは、黒から白までの階調の変化を表し、縦軸は各階調におけるスクリーン２３からの反射光すなわち、外光の明るさを含んだ投写画像表示状態における明るさを示している。次にユーザがこの現状のガンマカーブを上記測定およびグラフ化表示により把握した結果、ユーザ自身の好みに調整変更を実施する。ガンマカーブの調整はコントロールパネル部１４を介してＣＰＵ部１０が映像信号処理部１７に内蔵するガンマカーブ変換テーブルを変更操作する。このガンマカーブの変更調整が完了するとユーザはコントロールパネル部１４を介して、ガンマカーブの調整変更前と調整変更後との比較表示を指示する。ＣＰＵ部１０はその指示を受けて、まずガンマカーブ調整変更後の、投写表示状態におけるガンマカーブを実測するべく、図４に示したフローに従い、上記した手順で同様に測定を行う（ステップ１０からステップ２０）。その際、記憶保持する測定データの情報記憶部１３における領域は上記のガンマカーブ調整変更前の測定データを記憶保持する領域とは異なる領域を設定する。測定完了時には、ＣＰＵ部１０は、ガンマカーブ調整変更前の測定データと調整変更後の測定データとを情報記憶部１３から読み出し、それぞれに対してグラフ化するための演算処理を行う。次にＣＰＵ部１０は描画処理部１１に対して、ガンマカーブ調整変更前と調整変更後との両方のグラフを描画するための描画データを送り、その結果、スクリーン２３には図３に示すように調整前と調整後のグラフが投写表示される。ユーザはこれら両者のグラフを比較することによってユーザ自身が行った調整の結果が視環境下で実際にどのようなガンマカーブとして実現されたかを具体的に確認することができる。
【００２７】
以上のように本実施の形態によれば、視環境の影響を含む投写画像の表示状態を測定するための測定用画像信号発生部と、前記測定用画像の投写状態を測定する測定部と、前記測定した結果をグラフ化およびあるいは数値表示化するため前記測定部により得られた測定結果に対する演算処理を行う演算処理部と、前記演算処理結果を投写表示するための描画処理を行う描画処理部と、前記測定部により測定された結果を保持記憶する情報記憶部と、を備えることにより投写画像表示状態を測定するための測定用信号を発生し、測定を行いその結果を数値化およびあるいはグラフ化して表示することによりユーザに視環境状態や調整状態をわかりやすく知らせることができる。
【００２８】
なお、以上の説明では、測定部として測光センサ部１５を用いた例について説明したが、測定部としてカメラに代表される撮像装置を用いてもよい。なお、以上の説明では、ガンマカーブを例にしたが、コントラスト比を測定表示してもよく、また外光の明るさのみ測定および表示を行ってもよく、また全白画像の明るさすなわち投写画像表示装置の最大輝度の測定および表示を行ってもよいことは言うまでもない。
【産業上の利用可能性】
【００２９】
本発明にかかる投写画像表示装置、表示方法、プログラム、および記録媒体は、投写画像表示状態を測定するための測定用信号を発生し、測定を行いその結果を数値化およびあるいはグラフ化して表示することによりユーザに視環境状態や調整状態をわかりやすく知らせることが可能になるので、投写画像表示装置等として有用である。
【図面の簡単な説明】
【００３０】
【図１】本発明の実施の形態１における投写画像表示装置の構成を示したブロック図
【図２】本発明の実施の形態１における表示画像を示す具体例の図
【図３】本発明の実施の形態１における表示画像を示す具体例の図
【図４】本発明の実施の形態１における動作を説明する工程図
【図５】従来の投写画像表示装置の構成を示したブロック図
【符号の説明】
【００３１】
１０  ＣＰＵ部
１１  描画処理部
１２  測定用信号発生部
１３  情報記憶部
１４  コントロールパネル部
１５  測光センサ部
【図１】
2005303643.tif 000003
【図２】
2005303643.tif 000004
【図３】
2005303643.tif 000005
【図４】
2005303643.tif 000006
【図５】
2005303643.tif 000007